(57)【要約】【課題】開口片を切り離さない開口容易缶蓋について、ハーフオープンタイプにすることで、固形分が入った液体を内容物とする缶詰への使用に適したものにすると共に、開口片の破断端により消費者が口や手を負傷することなく、また、開口片によって開口部を好適に蓋することができるようにする。【解決手段】パネル部２の外縁に沿ったスコア部１４を、パネル部２外縁に非スコア部を残すように環状のパネル部２外縁の略半周に形成し、パネル部２の略中央を横切って両端がスコア部１４の端部付近に至るように折曲誘導部１５を形成し、スコア部１４と折曲誘導部１５とで囲まれた開口片２ａの領域で、折曲誘導部１５から離れてスコア部１４に近接した位置に開蓋操作用のタブ６を固着すると共に、少なくとも開口片２ａのスコア部１４に沿った部分を、パネル部２の金属板を多重に折り畳んだ重層部１３に形成する。【選択図】      図１
2004155480.tif 000002
【特許請求の範囲】
【請求項１】
パネル部の外縁に沿ったスコア部が、パネル部外縁に非スコア部を残すように環状のパネル部外縁の略半周に形成され、パネル部の略中央を横切って両端がスコア部の端部付近に至るように折曲誘導部が形成され、スコア部と折曲誘導部とで囲まれた開口片の領域で、折曲誘導部から離れてスコア部に近い位置に開蓋操作用のタブが固着されていると共に、少なくとも開口片のスコア部に沿った部分が、パネル部の金属板を多重に折り畳んだ重層部として形成されていることを特徴とする開口容易缶蓋。
【請求項２】
環状縁部によって囲まれたパネル部の全周で、環状縁部の内縁側とパネル部の外縁側とのそれぞれに、金属板を多重に折り畳んだ重層部が形成されていることを特徴とする請求項１に記載の開口容易缶蓋。
【発明の詳細な説明】
【０００１】
【発明の属する技術分野】
本発明は、缶容器の天板側の端壁として缶胴に巻締固着される開口容易缶蓋（イージーオープンエンド）に関し、特に、缶蓋のパネル部の略半分の面積を開口片として、タブの引き上げ操作により開口片をパネル部と繋がった状態のまま開口するようにした開口容易缶蓋に関する。
【０００２】
【従来の技術】
缶容器の天板側の端壁として缶胴に巻締固着される缶蓋であって、別途に缶切り等の用具を必要とすることなく、タブによる操作でスコア部を破断することにより容易に開口できるようにした、所謂開口容易缶蓋（イージーオープンエンド）については、従来から様々なものが提案され実施されているが、各種の飲料のような液体を内容物とする缶詰の場合には、缶蓋のパネル部の一部分を飲み口として部分的に開口するパーシャルオープンタイプの開口容易缶蓋が採用されており、そのような飲料缶用のパーシャルオープンタイプの開口容易缶蓋として、以前は、タブの引き上げ操作によりタブと開口片を缶蓋のパネル部から完全に切り離すようにしたプルトップタブ方式の缶蓋が多く使用されていたが、タブと開口片が缶から切り離されて捨てられることで資源回収の問題や環境美化の問題が起きることから、現在では、タブの操作によりパネル部と繋がった状態のまま開口片を缶内に押し下げて、タブや開口片を缶から切り離すことなく開口するステイオンタブ方式の缶蓋が多く使用されている。
【０００３】
一方、果実，野菜，魚，肉，ゼリー，水羊羹，プリン等のような固形物（ゲル状のものを含む）を内容物とする缶詰の場合には、内容物を完全に取り出すために開口部を広くする必要があることから、缶蓋のパネル部を全面的に開口するフルオープンタイプの開口容易缶蓋が採用されており、そのようなフルオープンタイプの開口容易缶蓋としては、パネル部の外縁全周にスコア部を形成して、タブによる引き上げ操作でタブと共にパネル部を完全に缶（缶蓋）から切り離すようなものが従来から一般的に使用されている。そのようなフルオープンタイプの開口容易缶蓋においても、パネル部が缶から切り離されて捨てられると資源回収や環境美化の上で問題となることから、そのような問題に対処するために、フルオープンタイプの開口容易缶蓋において、パネル部外縁の一部に非スコア部を残すようにパネル部外縁にスコア部を形成して、パネル部の一部を缶（缶蓋）に繋げた状態でパネル部の部分を全面的に開口するということが従来公知（実開平６−４７１２８号公報参照）となっている。
【０００４】
なお、パネル部を完全に缶（缶蓋）から切り離すようなフルオープンタイプの開口容易缶蓋（及び、缶切り具を使用してパネル部を完全に切除するような缶蓋）について、缶（缶蓋）から切り離した後の蓋（パネル部）を簡単に折り曲げて安全に処理できるように、蓋（パネル部）の中央付近に折曲力の集中する折曲誘導部を形成するということが従来公知（特開平９−１９３９３１号公報参照）となっている。
【０００５】
また、タブによる操作によりスコア部を破断するようにした開口容易缶蓋について、開口時にスコア部に沿って破断される部分の鋭い破断端に触れて消費者が負傷しないように、スコア部に沿った部分を金属板を多重に折り畳んだ重層部に形成するということが、パネル部を全面的に開口して除去するようなフルオープンタイプの開口容易缶蓋と、パネル部の一部分を部分的に開口するパーシャルオープンタイプでステイオンタブ方式の開口容易缶蓋との何れにおいても、従来公知（前者については、例えば、特開昭４８−９８９８９号公報，特開昭４９−７３２８５号公報，特開昭４９−１１８５８９号公報，特開平２−１８０１４８号公報等参照、後者については、特開２００２−１４５２６３号公報参照）となっている。
【０００６】
【発明が解決しようとする課題】
ところで、近年、例えば、果実片入りジュースの缶詰のような、大部分は液体であるが小さな固形分（ゲル状のものを含む）が少し混入された食品を内容物とする缶詰が何種類か販売されており、そのような缶詰の場合には、缶蓋がフルオープンタイプの開口容易缶蓋であると開口操作時に内容物の液体がこぼれ易いことから、従来は、通常の飲料缶詰（内容物が液体のみ）の場合と同様に、パネル部の一部分を開口するパーシャルオープンタイプの開口容易缶蓋が採用されているが、そのような従来のパーシャルオープンタイプの開口容易缶蓋では、開口部の面積が小さいために内容物の固形分を取り出し難く、特に、ステイオンタブ方式の場合には、開口片が缶内の開口部付近に留まっていることから、この開口片が障害物となって固形分の取り出しが一層難しくなっている。
【０００７】
そのような問題に対して、例えば、実開平６−４７１２８号公報に示されているようなフルオープンタイプの開口容易缶蓋において、そのパネル部の中央付近に、特開平９−１９３９３１号公報に示されているような折曲誘導部を形成した場合には、タブの引き上げ操作によりスコア部を破断してパネル部を引き上げながら、折曲誘導部が折り曲げられた時にタブの引き上げを中止することで、パネル部の半分側（折曲誘導部を境としてタブが設けられた一方の側）を開口片として開口させることができるように思われる。そして、そのように缶蓋のパネル部の半分の領域を開口させるようにした場合には、フルオープンタイプの開口容易缶蓋と比べて、開口時に内容物の液体がこぼれ難くなり、しかも、従来のパーシャルオープンタイプの開口容易缶蓋と比べて、開口後に内容物の固形分を取り出し易くなる。
【０００８】
なお、上記の点に関して、特開平９−１９３９３１号公報中に記載されている折曲誘導部は、缶（缶蓋）から完全に切り離した後の蓋（パネル部）を簡単に折り曲げて（二つ折りに折り畳んで）安全に処理するためのものであって、そのような折曲誘導部を、実開平６−４７１２８号公報に記載されているような缶蓋からパネル部を切り離さない開口容易缶蓋に対して形成するということ自体が、必ずしも容易に想到し得るものとは言えず、更には、そのような折曲誘導部を折り曲げることでパネル部を半分側だけ開口片として開口させるということについても、必ずしも容易に想到し得るものとは言えないが、仮にそのようにした場合にはということである。
【０００９】
しかしながら、仮にそのように缶蓋のパネル部の半分の領域だけを開口片として開口した場合には、缶外の開口部近傍に開口片が缶蓋と繋がったまま残っているために、缶から直接に内容物を飲む時や、飲んだ後の空缶を処理する時に、スコア部の破断により開口片の縁部に形成される鋭い破断端に触れることで、消費者が口や手を負傷するような虞がある。また、従来のパーシャルオープンタイプの開口容易缶蓋と比べて、開口部が大きくなる分だけ内容物の固形分が取り出し易くなるものの、その反面、内容物を一度で飲み切ることなく残して冷蔵庫等で冷やすような際に、開口部からゴミ等が入り易くなる。
【００１０】
そこで、パネル部の半分まで開いた開口部を簡易的に仮蓋するために、折曲誘導部での折り曲げを元に戻して、開口片により開口部を覆うようにした場合に、上記の各公報に記載されている構成を組み合わせたようなものでは、折曲誘導部の位置でスコア部の破断を中止して、パネル部の略半分の領域だけを開口片として開口するようにしたとしても、図６（Ａ）に示すように、開口片２ａの部分が上側に反り返り癖がついたようなものになってしまい、そのように変形した開口片では、図６（Ｂ）に示すように、開口片２ａの部分によって開口部を好適に蓋することが難しいものとなる。
【００１１】
本発明は、上記のような問題の解消を課題とするものであり、具体的には、開口片を切り離さない開口容易缶蓋について、ハーフオープンタイプにすることで、固形分が入った液体を内容物とする缶詰への使用に適したものにすると共に、開口後には、開口片の破断端により消費者が口や手を負傷することなく、また、開口片によって開口部を好適に蓋することができるようにすることを課題とするものである。
【００１２】
【課題を解決するための手段】
本発明は、上記のような課題を解決するために、パネル部の外縁に沿ったスコア部を、パネル部外縁に非スコア部を残すように環状のパネル部外縁の略半周に形成し、パネル部の略中央を横切って両端がスコア部の端部付近に至るように折曲誘導部を形成し、スコア部と折曲誘導部とで囲まれた開口片の領域で、折曲誘導部から離れてスコア部に近接した位置に開蓋操作用のタブを固着すると共に、少なくとも開口片のスコア部に沿った部分を、パネル部の金属板を多重に折り畳んだ重層部として形成したことを特徴とするものである。
【００１３】
上記のような構成によれば、タブの引き上げ操作によりパネル部の略半分の領域だけを容易に開口させることができて、その結果、フルオープンタイプの開口容易缶蓋と比べて、開口時に内容物の液体がこぼれ難くなり、また、従来のパーシャルオープンタイプの開口容易缶蓋と比べて、開口後に内容物の固形分が取り出し易くなる。また、開口片の縁部（スコア部に沿った部分）に重層部が形成されていることで、スコア部の破断により開口片の縁部に形成される鋭い破断端に消費者の口や手が触れるのを防ぐことができると共に、重層部が剛性の高い補強部分となることで、開口時に開口片が上側に反り返ることがなく、その結果、開口後に折曲誘導部での折り曲げを元に戻した時に、開口片によって開口部を好適に蓋することができる。
【００１４】
【発明の実施の形態】
以下、本発明の開口容易缶蓋の実施形態について、図面に基づいて詳細に説明する。なお、本発明の開口容易缶蓋の一実施形態について、図１は、缶蓋（缶胴に巻締め固着される前）の全体を上方から見た状態で示し、図２は、缶蓋の全体の断面形状（タブの先端部から缶蓋の中心を通る断面）を示し、図３は、図２に示した断面形状の一部分を拡大して示し、図４は、缶蓋を開口する時の状態を示し、図５は、開口された缶蓋の開口部を開口片によって仮蓋する時の状態を示すものである。また、本発明に対する比較例について、図６は、開口された缶蓋の開口部を開口片によって仮蓋する時の状態を示すものである。
【００１５】
本実施形態の缶蓋１は、アルミニウム合金の薄板からプレス成形されるものであって、図１および図２に示すように、パネル部２と環状縁部３とカウンターシンク部４とフランジ部５とが一体的に形成された本体部分に対して、それとは別体に形成された開口操作用のタブ６が、略円板状のパネル部２の周辺付近に形成されたリベット部７によって固着されている。また、缶胴との巻締固着部分となるフランジ部５の裏面側には、図示していないが、有機高分子製のシール剤が塗布されて付着される。
【００１６】
そのような缶蓋１の中央部分である略円板状のパネル部２には、パネル部２に剛性を付与すると共にタブ６を摘み易くするように、広い面積の凹部８が形成され、パネル部２に剛性を付与するためのリブ状の凹部９，１０が形成され、タブ６の下面に当接する一対の半球状の凸部１１が形成されていると共に、タブ６を起こすときにパネル部２のタブ先端部６ａに近接した部分を下方に折り曲げ易くするために、破断可能な主スコア線１２ａと破断しない副スコア線１２ｂとからなるベントスコア部１２が、リベット部７を挟んでタブ先端部６ａとは反対側でリベット部７の近傍に形成されている。
【００１７】
また、略円板状のパネル部２の外縁と、その外側を囲む環状縁部３の内縁とにわたって、金属板を多重に折り畳んだ重層部１３が形成されている。すなわち、パネル部２と環状縁部３との間では、その円周方向の全周にわたって環状に、図３に示すように、パネル部２の外端で金属板が上面側に断面Ｓ字状に折り畳まれた重層部１３ａに形成され、また、環状縁部３の内端で金属板が下面側に断面Ｓ字状に折り畳まれた重層部１３ｂに形成され、両方の重層部１３ａ，１３ｂの折り畳み部分の端部同士が連続した状態となっていて、パネル部２の外縁と環状縁部３の内縁とは、それぞれ金属板が断面Ｓ字状に三重に重なった環状の重層部１３ａ，１３ｂとなっている。
【００１８】
また、パネル部２の外縁と環状縁部３の内縁との境界部分（即ち、両方の重層部１３ａ，１３ｂの連続部分）には、図１に示すように、破断可能なスコア線によるスコア部１４（図面では見分け易いように破線で示しているが、実際には連続した刻線である）が、パネル部３の外縁に沿って、その円周方向の略半周で非スコア部を残すように、円周方向の略半周にわたって円弧状に形成されており、さらに、そのようなスコア部１４に対して、パネル部２の略中央を横切って両端がスコア部１４の端部に至るように、破断されない折曲誘導部１５が直線状に形成されている。
【００１９】
そして、そのようなスコア部１４と折曲誘導部１５とで囲まれた半円形の領域（開口片２ａとなる部分）において、折曲誘導部１５から離れてスコア部１４に近い位置で、リベット部７によりタブ６がパネル部２に固着されていて、タブ６の先端部６ａがスコア部１４の一部分に近接した状態となっており、また、リベット部７を挟んでタブ先端部６ａの側とは反対側で、リベット部７に沿った状態から両側に延びるように、主スコア線１２ａと副スコア線１２ｂとからなるベントスコア部１２が形成されている。
【００２０】
上記のような構造を備えた本実施形態の缶蓋１は、内容物が充填された後の上端が開口された缶体（缶本体）に対して、フランジ部５を缶体の上端開口縁に巻締め固着することで、缶容器の上端壁となるものであって、缶容器の上端壁となった缶蓋１の使用状態については、以下に説明する通りである。
【００２１】
未開口の缶蓋１を開口する場合には、先ず、タブ６の把持部（後端部）６ｂに指を掛けた状態で、タブ６を持ち上げることにより、ベントスコア部１２の主スコア線１２ａが破断されて、ベントスコア部１２の両端付近でパネル部２が容易に折れ曲がることから、図４（Ａ）に示すように、リベット部７の近傍（ベントスコア部１２の両側方）を支点として、リベット部７が立つように略９０°回動し、リベット部７で固着されたタブ６の先端部６ａが下方に押し下げられて、その結果、タブ６の先端部６ａでスコア部１４を初期破断しながら、タブ６が起こされる。そのようにタブ６が起こされることによって、タブ６の把持部６ｂを力点とし、タブ６の先端部６ａを作用点として、パネル部２の外縁に沿って形成されたスコア部１４の折曲誘導部１５から最も離れた部分が、タブ６の先端部６ａによって初期破断される。
【００２２】
次いで、そのような状態から、タブ６を引き上げることで、パネル部２の外縁に沿って形成されたスコア部１４が、その両端の折曲誘導部１５と繋がる位置まで破断されてから、折曲誘導部１５の部分でパネル部２が折り曲げられて、スコア部１４と折曲誘導部１５とで囲まれた部分を開口片２ａとして、図４（Ｂ）に示すように、パネル部２の略半分の領域が半円形に開口される。そのような状態から、更に、タブ６を指で押し付けることにより、残りのパネル部２の上方で折り曲げられた状態（残りのパネル部２の部分も含めた全体として断面Ｚ字状に折り曲げられた状態）となっている開口片２ａは、図４（Ｃ）に示すように、開口部の側方でパネル部２の上方に低く折り畳まれて、缶蓋１の開口が完了された状態となる。
【００２３】
上記のように開口された缶蓋１では、開口片２ａの部分が開口部の側方に低く折り畳まれた状態となっていることから、消費者が缶内の内容物を開口部から直接に飲むときに、開口片２ａが邪魔になることはなく、消費者の口や手が開口片２ａに触れるようなことは殆どないし、また、仮に、消費者の口や手が開口片２ａに触れたとしても、開口片２ａの縁部（スコア部１４が破断されたパネル部２の縁部）に断面Ｓ字状の重層部１３ａが形成されていることから、この断面Ｓ字状の重層部１３ａの外側の屈曲部分に邪魔されることで、スコア部１４の破断による鋭い破断端によって消費者の口や手を損傷するのが防止される。
【００２４】
一方、上記のように開口された缶蓋１の開口部を開口片の部分によって簡易的に仮蓋する場合には、図４（Ｃ）に示すような開口が完了された状態から、タブ６を指で摘んで略平行に持ち上げることにより、先ず、図４（Ｂ）に示すような状態に戻してから、更に、図５（Ａ），（Ｂ）に示すように、タブ６の姿勢を略そのまま保った状態で、タブ６を指で前方に押して、タブ６を斜め前方下方に略平行移動させることにより、パネル部２の上方に折り曲げられていた開口片２ａの部分は、開口部を上方から覆うように、パネル部２の残りの部分と略同じ平面となるように前方に引き伸ばされて、開口部は開口片２ａの部分によって略完全に覆われることとなる。
【００２５】
上記のような本実施形態の開口容易缶蓋によれば、タブ６の引き上げ操作により、スコア部１４を破断して折曲誘導部１５の部分でパネル部２を折り曲げることで、スコア部１４と折曲誘導部１５とで囲まれた部分を開口片２ａとして、パネル部２の半分の領域だけを容易に開口させることができることから、小さな固形分が混入された内容物による缶詰に使用した場合に、開口時には、フルオープンタイプの開口容易缶蓋と比べて、内容物の液体がこぼれるのを防止することができ、また、開口後には、従来のパーシャルオープンタイプの開口容易缶蓋と比べて、内容物の固形分を缶内に残すことなく容易に取り出すことができる。
【００２６】
また、スコア部１４と折曲誘導部１５とで囲まれた部分を開口片２ａの部分を、開口部の側方に低く折り畳むことができて、缶内の内容物を開口部から直接に飲むようなときに、開口片２ａの部分に口を触れることなく容易に飲むことができると共に、仮に、消費者の口や手が開口片２ａや開口部の縁部に触れたとしても、開口片２ａの縁部（スコア部１４が破断されたパネル部２の外縁部）に重層部１３ａが形成され、また、開口部の縁部（スコア部１４が破断された環状縁部３の内縁部）に重層部１３ｂが形成されていることから、それらの部分でスコア部１４の破断による鋭い破断端によって口や手などを損傷するのを防止することができる。
【００２７】
さらに、パネル部２の開口片２ａとなる部分の縁部（スコア部１４が破断されたパネル部２の縁部）に重層部１３ａが形成されていることで，当該部分が重層部１３ａにより補強されて剛性の高いものとなり、その結果、開口時に開口片２ａの部分が上側に反り返らないことから、開口後に開口片２ａによって開口部を覆うように仮蓋する際に、折曲誘導部１５での折り曲げを元に戻すことで、開口片２ａによって開口部を良好に蓋することができる。
【００２８】
以上、本発明の開口容易缶蓋の一実施形態について説明したが、本発明は、上記の実施形態に示したような具体的な構造にのみ限定されるものではなく、例えば、スコア部１４と折曲誘導部１５とで囲まれる開口片２ａの部分の大きさについては、ハーフオープンタイプであるとは言っても、厳密にパネル部２の半分の領域だけというのではなく、それよりも多少は大きくても小さくても良いものであり、従って、スコア部１４については、環状の略半周であれば、半周よりも多少は長くても短くても良く、また、折曲誘導部１５についても、必ずしもパネル部２の中心を通らなくても良いものであり、さらに、スコア部１４の端部と折曲誘導部１５の端部との位置関係については、必ずしも端部同士を合わせる必要はなく、折曲誘導部１５の端部がスコア部１４にまで到達していなくても良く、折曲誘導部１５の端部を越える位置までスコア部１４が延ばされていても良い等、適宜に設計変更可能なものであることは言うまでもない。
【００２９】
【発明の効果】
以上説明したような本発明の開口容易缶蓋によれば、ハーフオープンタイプとすることにより、固形分が入った液体を内容物とする缶詰に使用した際に、開口時には液体をこぼすことなく、しかも、開口後には固形分を残さず取り出すことができる。また、開口片の部分に邪魔されることなく、缶から直接的に内容物を容易に飲むことができ、開口片の破断端により口や手を負傷するのを防止することができて、さらには、開口片の部分によって開口部を好適に仮蓋することができる。
【図面の簡単な説明】
【図１】本発明の開口容易缶蓋の一実施形態について、缶胴に巻締め固着される前の缶蓋を示す上面図。
【図２】図１に示した缶蓋について、タブの先端部から缶蓋の中央を通る缶蓋全体の断面形状を示す断面図。
【図３】図２に示した缶蓋の一部分を拡大して示す部分拡大断面図。
【図４】図１に示した缶蓋について、缶蓋を開口する時の各段階での状態（Ａ），（Ｂ），（Ｃ）をそれぞれ示す断面説明図。
【図５】図１に示した缶蓋について、開口された缶蓋の開口部を開口片によって仮蓋する時の各段階での状態（Ａ），（Ｂ）をそれぞれ示す断面説明図。
【図６】比較例の缶蓋について、開口された缶蓋の開口部を開口片によって仮蓋する時の各段階での状態（Ａ），（Ｂ）をそれぞれ示す断面説明図。
【符号の説明】
１        缶蓋
２        パネル部
２ａ      開口片
３        環状縁部
６        タブ
６ａ      （タブの）先端部
６ｂ      （タブの）把持部
１３      重層部
１３ａ    （パネル部の外縁側の）重層部
１３ｂ    （環状縁部の内縁側の）重層部
１４      スコア部
１５      折曲誘導部
【図１】
2004155480.tif 000003
【図２】
2004155480.tif 000004
【図３】
2004155480.tif 000005
【図４】
2004155480.tif 000006
【図５】
2004155480.tif 000007
【図６】
2004155480.tif 000008